(57)【要約】【解決手段】  本発明は、有利には、前もって精紡機のドラフト機構１の領域内においてドラフトされた、スライバ２のための空気圧的な集束装置１０、および空気圧的な集束のための方法に関する。この集束装置は、このスライバ２のための移送手段１５、および、被覆部３０を備えており、この被覆部３０が、少なくとも１つの、スライバ２の走行方向に延在する案内手段３１、３１′を、集束を生じさせる空気のために有している。このことによって、このスライバ２の優れた集束が達成される。
2005521802.tif 000002
【特許請求の範囲】
【請求項１】
有利には、前もって精紡機のドラフト機構（１）の領域内においてドラフトされた、スライバ（２）のための空気圧的な集束装置（１０）であって、この集束装置が、
このスライバ（２）のための移送手段（１５）、および、被覆部（３０）を有する様式の上記集束装置において、
被覆部（３０）が、少なくとも１つの、スライバ（２）の走行方向に延在する案内手段（３１、３１′）を、集束を生じさせる空気のために有することを特徴とする集束装置。
【請求項２】
案内手段（３１、３１′）は、溝部として形成されていることを特徴とする請求項１に記載の集束装置。
【請求項３】
溝部（３１、３１′）の断面は、明確に、この溝部（３１、３１′）を通過するスライバ（２）の直径よりもより大きいことを特徴とする請求項２に記載の集束装置。
【請求項４】
溝部（３１、３１′）は、スライバ（２）の走行方向において先細りに形成されていることを特徴とする請求項２または３に記載の集束装置。
【請求項５】
溝部（３１′）の側面（３２′）は、凸状に湾曲されていることを特徴とする請求項４に記載の集束装置。
【請求項６】
溝部（３１）の側面（３２）は、スライバ（２）の入口領域において、互いに接近されており、且つ次いで平行に指向することを特徴とする請求項４に記載の集束装置。
【請求項７】
移送手段（１５）は、エプロンとして形成されていることを特徴とする請求項１から６のいずれか一つに記載の集束装置。
【請求項８】
移送手段（１５）は、パーフォレーション（１６）を有していることを特徴とする請求項１から７のいずれか一つに記載の集束装置。
【請求項９】
集束装置は、負圧接続部を有するサクションシュー（１７）を備えるサクション装置（９）を有していることを特徴とする請求項１から８のいずれか一つに記載の集束装置。
【請求項１０】
空気流入開口部を有するサクションシュー（１７）の面（１８）と、被覆部（３０）との間に、移送手段（１５）の締付けの無い通過を保証する所定の間隔が設けられていることを特徴とする請求項９に記載の集束装置。
【請求項１１】
間隔は、間隔保持体によって保証されているように構成されていることを特徴とする請求項１０に記載の集束装置。
【請求項１２】
サクションシュー（１７）は、突起部（１９）でもって被覆部（３０）に支持されていることを特徴とする請求項１０または１１に記載の集束装置。
【請求項１３】
スライバ（２）の空気圧的な集束のための方法であって、この方法の場合、このスライバ（２）が、走行方向における空気流、および、この走行方向に対して横方向の空気流に曝されていることを特徴とする方法。
【請求項１４】
集束を生じさせる空気の速度は、通過するスライバ（２）の速度よりも、何倍もより高いことを特徴とする請求項１３に記載の方法。
【請求項１５】
集束を生じさせる空気の速度は、通過するスライバ（２）の速度のほぼ２倍の高さであることを特徴とする請求項１４に記載の方法。
【発明の詳細な説明】
【技術分野】
【０００１】
本発明は、請求項１の上位概念による、有利には、前もって精紡機のドラフト機構内においてドラフトされた、スライバのための空気圧的な集束装置に関する。
【背景技術】
【０００２】
一般的な従来技術として、既に、いわゆるダブルエプロン式ドラフト機構は公知である（ドイツ連邦共和国特許第４３  ２３  ４７２号明細書（特許文献１））。ここで、フロントローラー対から離れたスライバは、スライバ集束領域の長さにわたって、移送方向に対して横方向に指向するサクション空気流に曝されている。このスライバは、その際、パーフォレーションを付けられエプロンとして形成されている平坦な移送手段によって作用されている。このエプロンは、ローラー駆動装置によって、駆動可能である。サクション装置として形成されているエプロンケージは、このエプロンの案内を生じさせる。このエプロンケージは、片側で閉鎖されたサクション空気案内のための溝部を備えている。支持体が設けられており、この支持体は、矩形成形体として形成されている。この支持体は、調節可能に支承されており；且つ、この支持体の傾斜が変化され得、および従って、集束の開始が制御される。この支持体でもって、吸引された空気は、側方の分力として利用され、このことは、このスライバの所望の集束に良い影響を及ぼす。
【０００３】
本発明に関する上記された従来技術の他の構成は、ドイツ連邦共和国特許公開第１９７  ２２  ５２８号明細書（特許文献２）が見て取れる。ここで、エプロンが、走行方向において異なる大きさで形成されたパーフォレーションを備えており、従って、大きなパーフォレーションによってのスライバの大まかな集束の後、このスライバの本来の集束が、より小さく保持されたパーフォレーションによって行われる。このことによって、スライバの良好な集束は達せられる。それに従って形成された糸は、高い品質要求を満たす。最近時において、しかしながら、更により高い品質の糸の要求が存在する。
【０００４】
更なる発展でもって、そのことがMelliandテキスタイルレポート4/2001の２４６から２４８頁（Melliand Textilberichte 4/2001 auf den Seiten 246 bis 248）（非特許文献１）において記載されているように、基本的な改善は、サクションシューのサクション開口部に、被覆部が対置されることによって達せられる。このことによって、吸引された空気は、合目的に、側方の分力として利用され；且つ、サクション空気流が、スライバに対して側方に指向されるべき気流内に強制され、このことによって、比較的に大きなトラバース幅が可能である。集束領域の長さとの関連において、スライバの良好な固定は、エプロンのパーフォレーションの上で達成される。この後に形成される糸は、比較的に高い品質要求を満たす。ごく最近このかた、しかしながら、更により高い品質を有する糸の要求が存在する。
【０００５】
突出する繊維端部を、特に良好に、スライバに接触するために、多くの場合にスライバに沿って指向する空気流動が好適であることが判明した。通気性の移送手段を通っての、この空気流動の通り抜けの直前に、サクション空気流は、このスライバに対して横方向に方向転換され、このスライバを貫通流動し、且つ、その際にこのスライバを集束する。
【特許文献１】ドイツ連邦共和国特許第４３  ２３  ４７２号明細書
【特許文献２】ドイツ連邦共和国特許公開第１９７  ２２  ５２８号明細書
【非特許文献１】Melliandテキスタイルレポート4/2001
【発明の開示】
【発明が解決しようとする課題】
【０００６】
従って、本発明の課題は、先に言及した様式の集束装置を、可能な限り簡単な、且つ安いコストの方法で改良することである。
【課題を解決するための手段】
【０００７】
この課題は本発明に従い、少なくとも１つの、スライバの走行方向に延在する案内手段を、集束を生じさせる空気のために有する、被覆部が設けられることによって解決される。このことによって、有利には、このスライバに沿って指向する空気流動が、および、それ故に優れた集束が可能となる。
【発明の効果】
【０００８】
案内手段は、例えば、軌条ペアの様式の隆起部として、有利には、しかしながら、比較的にコストの安い実現可能性、および材料の節約のために、溝部として形成されている。
【０００９】
本発明の構成において、溝部の断面が、明確に、この溝部を通過するスライバの直径よりもより大きい場合、一方では、この断面が、吸引される空気に、僅かな抵抗を対置し、且つ、この断面内において、力強い空気流が、通過するスライバに沿って生じることが達成される。他方では、このスライバが、溝部の側面に沿って滑動せず、且つ、そこで、例えば毛羽立てられないことが達成される。このスライバは、即ち、決してこの溝部を通って機械的に集束されるべきではない。
【００１０】
溝部の断面は、角張っているか、または、円形にされていても良い。有利には、この断面は、繊維経過の方向に先細りに形成されている。集束領域の経過にわたって、この溝部から空気が吸引されるので、このことによって、このスライバに沿っての空気流動の速度が、この集束領域内において、ほぼ同じ高さで留まることは達成される。
【００１１】
溝部の側面は、真っ直ぐに、または凸状にアーチ形にされていても良く、これら側面が、同様に初端部領域において、ホッパー状に互いに向かい合って近づいて、且つ、次いで平行に指向することも可能である。
【００１２】
スライバに沿っての、特に力強い空気流動は、その場合に、本発明の更なる構成において、空気流入開口部を有するサクションシューの面と、被覆部との間に、ただ移送手段の締付けの無い通過を許容する間隔が設けられることを配慮される場合に達成される。このことによって、公知の集束装置の場合に達成しようとされるような、集束空気の側方の流れ込みは、この公知の集束装置とは対照的に、本発明による装置の場合に、できる限り阻止される。
【００１３】
本発明の更に有利な詳細は、残りの従属請求項から見て取れる。
【００１４】
本発明は、例えば、負圧接続部を有するサクションシュー、および、給糸ローラーを中心にして案内されたパーフォレーションを付けられた、移送手段としてのエプロンから成る集束装置に関している。このエプロンは、スライバの走行方向において、多数の相前後して設けられたパーフォレーションを有している。集束されていないスライバの繊維が、サクション空気流動によって捕捉されたら直ぐに、これら繊維は、このサクション空気流動によって、押し寄せ集められ、且つ集束される。
【００１５】
次に、その内に有利な実施例が図示されている図に基づいて、本発明を、詳しく説明する。
【発明を実施するための最良の形態】
【００１６】
図１および２において、スライバ２をドラフト、および集束するための精紡機用のドラフト機構１が図示されている。このドラフト機構は、第１のローラー対３、および、第２のローラー対４を有しており、この第２のローラー対に、フロントローラー対５が、後続して設けられている。この第２のローラー対４とフロントローラー対５との間の領域内において、このスライバ２のメインドラフトが行われる。
【００１７】
フロントローラー対５に、空気圧的な集束装置１０が接続している。この集束装置に、給糸装置２０が後続して設けられており、この給糸装置は、他方また、ローラー対６を有している。スライバ２は、矢印方向において、有利には公知の様式で電動機により駆動可能なローラー対３、４、５、および６の間で、およびこれらを通って、貫通移送される。その際、パーフォレーション１６を備える、ここでエプロンとして形成されている移送手段１５が、例えば既に先に記述されたドイツ連邦共和国特許公開第１９７  ２２  ５２８号明細書（特許文献２）から公知されているように、使用される。このフロントローラー対５と、給糸装置２０のローラー対６との間の領域は、いわゆるスライバ集束領域７である。ここで、ドラフト機構１のフロントローラー対５を離れたスライバ２は、サクション空気流８（図３）に曝される。このサクション空気流８は、サクション装置９によって形成され、このサクション装置が、スライバ２と反対側の移送手段１５の側面に、このフロントローラー対５と給糸装置２０との間で延在している。
【００１８】
サクション装置９は、サクションシュー１７を有しており、このサクションシューの上を通過して、パーフォレーションを付けられたエプロン、即ち移送手段１５が案内されている。
【００１９】
有利には、移送手段１５のパーフォレーション１６は、少なくとも、フロントローラー対５から走出するスライバ２のトラバース運動の幅にわたって延在し、この移送手段が、相応して、サクション装置９のサクションシュー１７のサクション開口部にわたって案内されている。このサクションシュー１７は、ローラー対５と６との間で、このサクションシューは、（断面において通常のように円形の）下側に配設されたこれらローラーの中心点に、上側に配設されたそれらローラーの中心点よりもより近いように位置決めされている。このサクションシュー１７は、即ち、比較的にはるかに下方へと、スライバ集束領域７内に突出している。
【００２０】
サクション装置９のサクション開口部に相対して位置している状態で、被覆部３０が設けられている。この被覆部３０は、１つのレールのように形成されており、且つ、ドラフト機構１の全幅にわたって延在している。この被覆部は、幅Ｂを自体で備えており、この幅がサクション装置のサクション開口部の大きさに適合されており、特に、スライバ２の走行方向においてこのサクション開口部の大きさとほぼ同じ大きさである。
【００２１】
空気流入開口部を有する、サクションシュー１７の面１８と、被覆部３０との間に、
エプロン１５の締付けの無い通過を保証する間隔が存在している。このサクションシュー１７は、図２ａが示しているように、突起部１９でもって、被覆部３０に支持されている。
【００２２】
被覆部３０は、図１および２が示しているように、下方へとアーチ形に、および、スライバ２の走行方向に見て、後方にほんの少しだけ、前方よりもより高く形成されている。
【００２３】
被覆部３０は、スライバ２のための案内手段３１、３１′を有している。これら案内手段３１、３１′は、溝部として形成されており、且つ、これら案内手段の長さＬでもって、真っ直ぐ、スライバ２の走行方向において、この被覆部３０の全幅Ｂにわたって延在している。これら溝部３１、３１′の幅は、このスライバ２の厚さに適合されており；且つ、この溝部の断面が、図３が示しているように、明確に、この溝部を通過するスライバ２のその断面よりもより大きい。
【００２４】
図３において、中央、および右側に示された実施例において、溝部３１は、断面において矩形であり、且つ、始端において、非圧縮のスライバ２の厚さのほぼ２倍の大きさである幅ｂ１を備えている。これら溝部の長さＬのほぼ４分の１の後ろで、これら溝部３１は、幅ｂ１のほぼ半分の大きさである幅ｂ２へと狭められている。これら溝部３１の側面３２は、即ち、このスライバ２の入口領域内において、互いに接近しており、且つ、次いで互いに平行に更に指向している。溝深さは、ここで、少なくとも、ほぼ非圧縮のスライバ２の厚さに相応している。
【００２５】
図３の左側の領域において、溝部３１′が図示されており、この溝部の側面３２′は、凸状に湾曲されている。その他に、この溝部３１′は、溝部３１と同じように形成されている。
【００２６】
総じて、溝部３１、３１′は、即ち、サクション通路のように構成されており、このサクション通路内において、力強い空気流が、通過するスライバ２に沿って生じる。このことによって、このスライバ２の優れた集束が可能とされる。
【００２７】
本発明による方法によって、スライバ２は、上記されているように、可能な限り最高の集束を達成するために、スライバ走行方向における空気流にだけでなく、同時にまたは後に、このスライバ走行方向に対して横方向の空気流にも曝される。
【００２８】
その際、集束を生じさせる空気の速度は、通過するスライバ２の速度よりも、何倍もより高くすべきである。この集束を生じさせる空気の速度は、スライバ速度の１０倍に至るまでの値であることは可能である。実際上は、集束を生じさせる空気の速度を、この通過するスライバ２の速度のほぼ２倍の高さに選択することが、極めて効果的であることが判明した。
【００２９】
本発明による装置、および本発明による方法の大きな利点は、空気必要量が、公知の装置および方法に比して、まさに、集束を生じさせる空気のための本発明による案内手段のの結果、減少されており、且つ、このことによって、経済的な作動が保証されていることにある。
【００３０】
サクション空気に加えて、このサクション空気の集束作用を支援するために、同様に更に、吹込み空気が使用され得る。このことによって、更により良好なスライバの集束が、および従って、最終的に、更により高い糸品質が達せられる。
【００３１】
最後に、この発明が、もちろん、例えばスクリーンエプロンの様式における移送手段を有している、集束装置においても使用可能であることは、更に言及されるべきである。サクション開口部は、その場合に有利には、幅の狭い、真っ直ぐまたは傾斜して位置するサクションスリットとして形成されている。傾斜して位置するサクションスリットの場合、溝部は、もちろん、このスリットの傾斜状態に対して適合されるべきである。
【００３２】
本発明は、同様に、剛性の駆動されるドラム、または、スクリーン面またはパーフォレーション軌跡を有する、回転しているスリーブの様式における移送手段を有する、集束装置において使用可能である。
【図面の簡単な説明】
【００３３】
【図１】走入ローラー、メインドラフトゾーン、集束装置、および、給糸装置を有する、ダブルエプロン式ドラフト機構の、概略的な側面図である。
【図２】概略的な側面図における、サクションシュー、およびサクション接続部を有する、集束装置の拡大された図である。
【図２ａ】拡大された図示における、図２の詳細図である。
【図３】平面図における、図１、および図２の詳細図である。
【図１】
2005521802.tif 000003
【図２】
2005521802.tif 000004
【図２ａ】
2005521802.tif 000005
【図３】
2005521802.tif 000006
【国際調査報告】
2005521802.tif 000007
2005521802.tif 000008
2005521802.tif 000009
2005521802.tif 000010
2005521802.tif 000011
2005521802.tif 000012